(57)【要約】【課題】第１液滴と第１液滴より液滴量が多い第２液滴とを使い分けて描画することにより、湾曲している描画対象面に対して、その全領域に高品質な描画を行うことのできる描画装置及び描画方法を提供する。【解決手段】第１液滴ドットを形成するための第１液滴と第１液滴よりも液滴量が多く、第２液滴ドットを形成するための第２液滴とを噴射可能で、第１液滴による第１液滴ドット及び第２液滴による第２液滴ドットを第１方向に沿って凸状に湾曲している描画対象面に形成して画像の描画を行いう描画ヘッド４１と、描画対象面の第１方向の両端の少なくとも一方側の調整領域ＣＡにおいて、画像の描画データに基づいた第１液滴ドットを形成すべき第１ドット形成予定領域の少なくとも一部に第２液滴ドットを形成するように描画ヘッド４１を制御する描画制御部８１４と、を備えている。【選択図】図７
2019098099.tif 000002
【特許請求の範囲】
【請求項１】
第１液滴ドットを形成するための第１液滴と、前記第１液滴よりも液滴量が多く、第２液滴ドットを形成するための第２液滴と、を噴射可能で、第１方向に沿って凸状に湾曲している描画対象面に、前記第１液滴ドット及び前記第２液滴ドットの少なくとも何れかを形成して画像の描画を行う描画ヘッドと、
前記描画ヘッドを制御する描画制御部と、
を備え、
前記描画制御部は、
前記描画対象面の前記第１方向の両端の少なくとも一方側の調整領域内において、前記画像の描画用データに基づいた前記第１液滴ドットを形成すべき第１液滴ドット形成予定領域の少なくとも一部に、前記第２液滴ドットを形成するように、前記描画ヘッドによる前記第２液滴の噴射を制御することを特徴とする描画装置。
【請求項２】
前記描画用データは、湾曲していない面に前記画像を描画することを前提として生成されているものであることを特徴とする請求項１に記載の描画装置。
【請求項３】
前記描画制御部は、
前記描画対象面における前記調整領域以外の領域では、前記第１液滴ドット形成予定領域に前記第１液滴ドットを形成し、前記描画用データに基づいた前記第２液滴ドットを形成すべき第２液滴ドット形成予定領域に前記第２液滴ドットを形成するように、前記描画ヘッドによる前記第１液滴及び前記第２液滴の噴射を制御することを特徴とする請求項１又は請求項２に記載の描画装置。
【請求項４】
前記描画制御部は、
前記調整領域内の前記第１液滴ドット形成予定領域における前記第２液滴ドットを形成する割合を、前記描画対象面における前記第１方向の端に近づくほど増加させるように前記描画ヘッドによる噴射を制御することを特徴とする請求項１から請求項３のいずれか一項に記載の描画装置。
【請求項５】
前記描画制御部は、
前記調整領域内の前記第１液滴ドット形成予定領域に対して前記第１液滴ドットを形成する割合を、前記描画対象面の前記第１方向の端に近づくほど減少させるように前記描画ヘッドによる噴射を制御することを特徴とする請求項４に記載の描画装置。
【請求項６】
前記描画制御部は、
前記調整領域内の前記第１液滴ドット形成予定領域に対して前記第１液滴ドットを形成する割合を、前記調整領域内における前記第１方向に沿った端に向かういずれかの位置において０％とするように前記描画ヘッドによる噴射を制御することを特徴とする請求項５に記載の描画装置。
【請求項７】
前記描画制御部は、
前記調整領域内の前記第１液滴ドット形成予定領域の中の、前記第１液滴ドットを形成しないようにされた領域の少なくとも一部に前記第２液滴ドットを形成するように前記描画ヘッドによる噴射を制御することを特徴とする請求項５又は請求項６に記載の描画装置。
【請求項８】
前記描画制御部は、
前記調整領域内の前記第１液滴ドット形成予定領域の中の、前記第１液滴ドットを形成しない用にされた領域に前記第２液滴ドットを形成するように前記描画ヘッドによる噴射を制御することを特徴とする請求項５又は請求項６に記載の描画装置。
【請求項９】
前記描画対象面は、指の爪の表面又は前記爪に塗布されたインクの表面であり、
前記第１方向は前記爪の幅方向であり、
前記描画対象面の幅及び前記幅方向の曲率を検出する爪情報検出部を備え、
前記描画制御部は、前記爪情報検出部により検出された前記描画対象面の幅及び前記幅方向の曲率の値に基づいて前記調整領域を設定することを特徴とする請求項１から請求項８のいずれか一項に記載の描画装置。
【請求項１０】
前記描画対象面は、手の複数の指のそれぞれにおける爪の表面又は前記爪におけるインクが塗布された領域の表面であり、
前記第１方向は前記爪の幅方向であり、
前記複数の指のうちの前記描画対象面を有する前記指の種類を検出する爪情報検出部を備え、
前記描画制御部は、前記爪情報検出部により検出された前記指の種類に基づいて前記調整領域を設定することを特徴とする請求項１から請求項８のいずれか一項に記載の描画装置。
【請求項１１】
描画装置の描画方法であって、
前記描画装置は、第１液滴ドットを形成するための第１液滴と、前記第１液滴よりも液滴量が多く、第２液滴ドットを形成するための第２液滴と、を噴射可能で、第１方向に沿って凸状に湾曲している描画対象面に、前記第１液滴ドット及び前記第２液滴ドットの少なくとも何れかを形成して画像の描画を行う描画ヘッドを備え、
前記描画対象面の前記第１方向の両端の少なくとも一方側の調整領域内において、前記画像の描画用データに基づいた前記第１液滴ドットを形成すべき第１液滴ドット形成予定領域の少なくとも一部に、前記第２液滴ドットを形成するように、前記描画ヘッドによる噴射を制御することを特徴とする描画方法。 
【発明の詳細な説明】
【技術分野】
【０００１】
本発明は、描画装置及び描画方法に関するものである。
【背景技術】
【０００２】
従来、描画ヘッドからインクによる液滴を噴射して爪にネイルデザインを描画するインクジェット方式の描画装置が知られている（例えば、特許文献１参照）。
このようなインクジェット方式の描画装置では、液滴径が比較的小さい第１液滴と液滴量が小液滴より多い第２液滴とを用いて描画することにより、高精細な画質での描画を実現することができる。
【先行技術文献】
【特許文献】
【０００３】
【特許文献１】特表２００３−５３４０８３号公報
【発明の概要】
【発明が解決しようとする課題】
【０００４】
しかしながら、第１液滴は飛翔可能距離が比較的短いため、描画ヘッドから描画対象までの距離が長いと、着弾してもミスト化してしまったり、着弾位置が乱れて、正確な位置に着弾させ難くなったりする。
この点、平坦な紙に描画する通常の描画装置のように描画対象が平坦である場合には、描画ヘッドと描画対象との距離が一定であるため、描画ヘッドと描画対象との間隔を第１液滴が正確に着弾できる距離の範囲内に設定しておけば、インクの着弾が乱れることはない。
これに対して、ネイルプリント装置の描画対象である爪は、幅方向の中央部分は比較的高さが高く、幅方向の両端部に行くほど高さが低くなる湾曲形状となっている。
このため、描画ヘッドを爪の上方において水平方向に移動させながらで描画を行った場合、爪の幅方向の中央部分では、描画ヘッドから爪の表面までの距離が短く、飛翔距離の短い第１液滴でも十分に着弾させることができるが、爪の幅方向の両端部側では、描画ヘッドから爪の表面までの距離が、爪の幅方向の中央部分より長くなる。このため、爪の幅方向の両端部側では、第１液滴は、ミスト化してしまったり正確な位置に着弾しなかったりする。これにより、爪の両端部側においては、描画したネイルデザインの画像の濃度が薄くなったり描画したネイルデザインの画像に乱れが生じたりして、画質が低下する。
【０００５】
本発明は以上のような事情に鑑みてなされたものであり、第１液滴と第１液滴より液滴量が多い第２液滴とを使い分けて描画することにより、湾曲している爪に対して、その全領域に高品質な描画を行うことのできる描画装置及び描画方法を提供することを目的とするものである。
【課題を解決するための手段】
【０００６】
前記課題を解決するために、本発明の描画装置は、
第１液滴ドットを形成するための第１液滴と、前記第１液滴よりも液滴量が多く、第２液滴ドットを形成するための第２液滴と、を噴射可能で、第１方向に沿って凸状に湾曲している描画対象面に、前記第１液滴ドット及び前記第２液滴ドットの少なくとも何れかを形成して画像の描画を行う描画ヘッドと、
前記描画ヘッドを制御する描画制御部と、
を備え、
前記描画制御部は、
前記描画対象面の前記第１方向の両端の少なくとも一方側の調整領域内において、前記画像の描画用データに基づいた前記第１液滴ドットを形成すべき第１液滴ドット形成予定領域の少なくとも一部に、前記第２液滴ドットを形成するように、前記描画ヘッドによる前記第２液滴の噴射を制御することを特徴としている。
【発明の効果】
【０００７】
本発明によれば、第１液滴と第１液滴より液滴量が多い第２液滴とを使い分けて描画することにより、湾曲している爪に対して、その全領域に高品質な描画を行うことができる。
【図面の簡単な説明】
【０００８】
【図１】本実施形態におけるネイルプリント装置の外観構成を示す斜視図である。
【図２】ネイルプリント装置から筐体を取り外して内部構成を示した要部斜視図である。
【図３】描画ヘッドのノズル配置を示す図である。
【図４】本実施形態に係るネイルプリント装置の制御構成を示した要部ブロック図である。
【図５】（ａ）は、指の爪を示す平面図であり、（ｂ）は、（ａ）における矢視ｂ方向から見た爪と描画ヘッドとの位置関係を模式的に示す説明図である。
【図６】（ａ）、（ｂ）、（ｄ）は、調整領域設定テーブルの例を示す図であり、（ｃ）は、各湾曲レベルの爪の幅方向の断面を示す模式図である。
【図７】（ａ）から（ｃ）は、噴射割合の調整処理の例を模式的に示す図である。
【図８】本実施形態における描画処理を示すフローチャートである。
【発明を実施するための形態】
【０００９】
図１から図８を参照しつつ、本発明に係る描画装置の一実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、描画装置が手の指の爪を描画対象とし、この爪の表面又はこの爪におけるインクが塗布される領域の表面を描画対象面とし、てこれに描画するネイルプリント装置である場合を例に説明するが、本発明における描画対象は手の指の爪に限るものではなく、例えば足の指の爪を描画対象としてもよい。また、ネイルチップや各種アクセサリの表面等、爪以外のものを描画対象としてもよい。
【００１０】
図１は、本実施形態における描画装置であるネイルプリント装置の外観斜視図である。
図１に示すように、本実施形態におけるネイルプリント装置１は、ほぼ箱形に形成された筐体１１を有している。
筐体１１の上面（天板）には操作部１２が設置されている。
操作部１２は、ユーザが各種入力を行う入力部である。
操作部１２には、例えば、ネイルプリント装置１の電源をＯＮする電源スイッチ釦、動作を停止させる停止スイッチ釦、爪Ｔに描画するデザイン画像を選択するデザイン選択釦、描画開始を指示する描画開始釦等、各種の入力を行うための操作釦が配置されている。
【００１１】
また、筐体１１の上面（天板）には表示装置１３が設置されている。
表示装置１３は、例えば液晶ディスプレイ（ＬＣＤ：Liquid Crystal Display）、有機エレクトロルミネッセンスディスプレイその他のフラットディスプレイ等で構成されている。
本実施形態において、この表示装置１３には、例えば、指Ｕ１を撮影して得た爪画像（爪Ｔの画像を含む指の画像）、この爪画像中に含まれる爪Ｔの輪郭線等の画像、爪Ｔに後述する元画像を投影した状態の画像、爪Ｔに描画すべきデザイン画像を選択するためのデザイン選択画面、デザイン確認用のサムネイル画像、各種の指示を表示させる指示画面等が適宜表示される。
なお、表示装置１３の表面に各種の入力を行うためのタッチパネルが一体的に構成されていてもよい。この場合には、タッチパネルが操作部１２として機能する。
【００１２】
また、筐体１１の上面（天板）の内側であって、後述する指固定部３の窓部３３の上方位置には、窓部３３から露出する爪Ｔを撮影して爪画像（爪Ｔを含む指Ｕ１の画像）を取得する撮影機構５０（図３参照）が設けられている。
なお、撮影機構５０は、指固定部３内に配置されている爪Ｔを撮影できるものであればよく、その具体的な配置は特に限定されない。例えば、筐体１１の内面ではなく、筐体１１内に配置されるいずれかの構造体に固定されていてもよいし、後述する描画機構４０のキャリッジ等に固定され、ヘッド移動機構４９（図３参照）等により移動可能に構成されていてもよい。この場合には、撮影機構５０は、Ｘ方向移動モータ４６とＹ方向移動モータ４８等で構成されるヘッド移動機構４９により、Ｘ方向及びＹ方向に移動可能に構成される。
このように、撮影機構５０をヘッド移動機構４９等により移動可能に構成した場合には、描画対象である爪Ｔを撮影する際には、指固定部３の窓部３３から露出する爪Ｔの上方に撮影機構５０が配置されるようにし、描画時には指固定部３の上方位置に描画ヘッド４１が配置されるように、適宜移動させることができる。
【００１３】
撮影機構５０は、爪Ｔを撮影して、爪Ｔを含む指Ｕ１の画像である爪画像を取得する撮影手段である。
撮影機構５０は、撮影装置５１と、照明装置５２とを備えている。
撮影装置５１は、例えば、２００万画素程度以上の画素を有する固体撮影素子とレンズ等を備えて構成された小型カメラである。
照明装置５２は、例えば白色ＬＥＤ等の照明灯である。本実施形態では、撮影装置５１を囲むように複数の照明装置５２が配置されている。なお、照明装置５２の数や配置は図示例に限定されない。
この撮影機構５０は、後述する制御装置８０の撮影制御部８１１（図３参照）に接続され、該撮影制御部８１１によって制御されるようになっている。
なお、撮影機構５０によって撮影された画像の画像データは、後述する爪画像記憶領域８２５等に記憶される。
【００１４】
さらに、筐体１１の前面側（図１において手前側）であって、ネイルプリント装置１のＸ方向（図１においてＸ方向）のほぼ中央部には、ネイルプリント装置１による撮影時や描画機構４０による描画動作時に描画対象である爪Ｔを有する指Ｕ１を挿入し、撮影機構５０による撮影が可能な撮影可能位置、描画機構４０による描画が可能な描画位置に爪Ｔをセットするための開口部１４が形成されている。
開口部１４の内側には、後述するように、爪Ｔ（爪Ｔを含む指Ｕ１）を固定する指固定部３が配置されている。
【００１５】
図２は、図１に示すネイルプリント装置１から筐体１１を外してネイルプリント装置１の内部構成を示した要部斜視図である。
図２に示すように、筐体１１内には、各種の内部構造物が組み込まれた基台２が設けられている。
基台２の表面（すなわち、図２に示すようにネイルプリント装置１の上側の面）は、本実施形態においてＸＹ平面を構成する基台上面２０となっている。
基台上面２０には、非描画時に描画ヘッド４１が待機する待機領域（図示せず）が設けられている。
また、基台上面２０には、描画ヘッド４１のメンテナンスを行うメンテナンス領域６が設けられている。図示は省略するが、メンテナンス領域６には、例えば描画ヘッド４１において描画対象面（本実施形態では爪Ｔの表面又は爪Ｔにおけるインクが塗布される領域の表面）に対向する面であるインク噴射面（図示せず）から強制的にインクを噴射させるパージ部やインク噴射面を拭き取り、残留しているインク等を除去するワイプ部等のメンテナンス機構が設けられる。
【００１６】
基台上面２０における装置手前側（図２におけるＹ方向手前側）であって、装置の幅方向（図２におけるＸ方向）のほぼ中央部であり、筐体１１の開口部１４に対応する位置には、指固定部３が配置されている。
指固定部３は装置手前側に開口部３１を有する箱状の部材であり、指固定部３内部には指Ｕ１を固定する指固定部材３２が配置されている。
指固定部材３２は、指Ｕ１を下側から押し上げ支持するものであり、例えば柔軟性を有する樹脂等で形成されている。本実施形態では、指固定部材３２は、幅方向のほぼ中央部が窪んだ形状となっており、指Ｕ１を指固定部材３２上に載置した際に、指Ｕ１の腹部分を指固定部材３２が受けて、装置幅方向（図１及び図２におけるＸ方向）に指Ｕ１ががたつくのを防止することができる。
なお、指固定部材３２は、指Ｕ１を下側から支持し得るものであればよく、その構成は特に限定されない。例えば、ばね等の弾性部材によって下方から付勢されていてもよい。また、例えば、指固定部材３２は、内圧を変化させることにより膨縮可能に構成されており、膨張状態において指Ｕ１を押し上げ、その位置を固定する構成としてもよい。
【００１７】
指固定部３の天面奥側は開口する窓部３３となっている。窓部３３からは指固定部３内に挿入された指Ｕ１の爪Ｔが露出するようになっている。
また、指固定部３の天面手前側は指Ｕ１の浮き上がりを防止して指Ｕ１の上方向の位置を規制する指押え３４となっている。指Ｕ１及びその爪Ｔは、下側から指固定部材３２によって支持され、指Ｕ１の上側が指押え３４によって押さえられることで、高さ方向の位置が所定の位置に位置決めされる。
また、本実施形態では、指挿入方向の奥側には、爪Ｔを載置する爪載置部３５が設けられている。
この爪載置部３５に爪Ｔの先を載置させることにより、爪Ｔの水平方向（すなわち、Ｘ方向及びＹ方向）の位置が規定されるとともに、その高さ方向の位置も規制される。
【００１８】
また、筐体１１の内部には、描画対象面に描画を施す描画機構４０（図３参照）が設けられている。ここで描画対象面とは、描画対象の表面であり、本実施形態では、指Ｕ１の爪Ｔの表面である。
描画機構４０は、描画機構本体である描画ヘッド４１、描画ヘッド４１を支持するヘッドキャリッジ４２、描画ヘッド４１をＸ方向（図１及び図２等におけるＸ方向、ネイルプリント装置１の左右方向）に移動させるためのＸ方向移動ステージ４５、Ｘ方向移動モータ４６（図３参照）、描画ヘッド４１をＹ方向（図１及び図２等におけるＹ方向、ネイルプリント装置１の前後方向）に移動させるためのＹ方向移動ステージ４７、Ｙ方向移動モータ４８（図３参照）等を備えて構成されている。
【００１９】
Ｙ方向移動ステージ４７は、基台上面２０における装置幅方向（図１及び図２等におけるＸ方向、ネイルプリント装置１の左右方向）の両側部に、それぞれＹ方向（図１及び図２等におけるＹ方向、ネイルプリント装置１の前後方向）に延在して設けられた支持部材４７１を有している。
これら一対の支持部材４７１の延在方向における両端部にはそれぞれプーリー４７７が取り付けられている。装置左側及び装置右側のプーリー４７７には、装置の前後方向（図２等においてＹ方向）に延在する駆動ベルト４７４がそれぞれ巻回されている。
装置奥側に設けられているプーリー４７７は、駆動軸部４７６の両端部に取り付けられている。この駆動軸部４７６には、Ｙ方向移動モータ４８（図３参照）が接続されており、Ｙ方向移動モータ４８が駆動することで駆動軸部４７６及びこれに取り付けられているプーリー４７７が適宜正逆方向に回転する。
プーリー４７７の回転により、プーリー４７７に巻回されている駆動ベルト４７４も回転し、これによりＸ方向移動ステージ４５（及びＸ方向移動ステージ４５に搭載されている描画ヘッド４１）がＹ方向に移動可能となっている。
また、支持部材４７１上には駆動ベルト４７４と平行してＹ方向に延在するガイド軸４７５が設けられている。
【００２０】
Ｘ方向移動ステージ４５は、装置奥側に基台上面２０に対して立設され基台２のＸ方向に延在する背面板４５１と、この背面板４５１の上端部から装置前方に張り出す庇部４５２と、背面板４５１及び庇部４５２で構成される側面視ほぼＬ字状の部の両側部を塞ぐようにそれぞれ立設された一対の側面部４５３と、を有している。
左右一対の側面部４５３には、それぞれガイド軸４７５が挿通される軸挿通部４５３ａが設けられており、この一対の軸挿通部４５３ａにそれぞれガイド軸４７５が挿通され、Ｙ方向駆動モータ４８が駆動して駆動ベルト４７４が回転することによってＸ方向移動ステージ４５は、ガイド軸４７５に沿ってＹ方向に移動可能となっている。
【００２１】
また、一対の側面部４５３の内側にはＸ方向移動モータ４６が接続された図示しないプーリーが設けられており、このプーリーには、装置の左右方向（図２等においてＸ方向）に延在する駆動ベルト４５４が巻回されている。また、Ｘ方向移動ステージ４５の内側には、この駆動ベルト４５４とほぼ平行し基台２のＸ方向に延在するガイド軸４５５が設けられている。
Ｘ方向移動ステージ４５には、描画ヘッド４１を支持するヘッドキャリッジ４２が搭載されている。
ヘッドキャリッジ４２の背面側（装置奥側）には、ガイド軸４５５が挿通される図示しない軸挿通部が設けられている。
ヘッドキャリッジ４２の軸挿通部にガイド軸４５５が挿通され、Ｘ方向駆動モータ４６が駆動して駆動ベルト４５４が回転することによって、ヘッドキャリッジ４２はＸ方向移動ステージ４５内をガイド軸４５５に沿ってＸ方向に移動可能となっている。
【００２２】
本実施形態では、Ｘ方向移動モータ４６とＹ方向移動モータ４８等により、描画ヘッド４１をＸＹ平面上においてＸ方向及びＹ方向に移動可能なヘッド移動機構４９（図３参照）が構成されており、後述する制御装置８０（特に描画制御部８１４）によりその動作を制御される。
なお、描画ヘッド４１の動作やヘッド移動機構４９の動作を制御する描画制御部８１４は、全てが１つの制御基板上に設けられている必要はない。例えば、描画ヘッド４１のインク噴射やＸ方向移動モータ４６の動作等を制御する制御部８１が搭載され、メインの制御基板と電気的に接続された図示しない制御基板がＸ方向移動ステージ４５に設けられていてもよい。本実施形態においてヘッドキャリッジ４２の背面側には、フレキシブルなプリント配線基板４２５が設けられている。このプリント配線基板４２５は、Ｘ方向移動ステージ４５に設けられている制御基板と電気的に接続されており、メインの制御基板上に設けられている描画制御部８１４からの制御信号は、Ｘ方向移動ステージ４５に設けられている制御基板を介してプリント配線基板４２５に送られ、描画制御部８１４の制御に従った描画ヘッド４１のインク噴射制御等が行われるようになっている。
【００２３】
本実施形態の描画ヘッド４１は、インクジェット方式で描画を行うインクジェットヘッドであり、図３は描画ヘッド４１におけるノズル配置の一例を示す図である。
描画ヘッド４１は、例えば、イエロー（Ｙ；YELLOW）、マゼンタ（Ｍ；MAGENTA）、シアン（Ｃ；CYAN）のインクに対応する図示しないインクカートリッジと各インクカートリッジにおける描画対象面に対向する面に設けられたインク噴射面とが一体に形成されたインクカートリッジ一体型のヘッドである。インク噴射面には、図３に示すように、それぞれの色のインクによる液滴を噴射する複数のノズルからなるノズルアレイの噴射口（インク噴射口、４１１、４１２）が列状に形成されている。描画ヘッド４１は、インクを微滴化し、インク噴射面（インク噴射面の複数のノズルによるインク噴射口）から描画対象面（すなわち、爪Ｔの表面又は爪Ｔにおけるインクが塗布される領域の表面）に対して直接にインクによる液滴を吹き付けて描画を行う。なお、描画ヘッド４１は、上記３色のインクによる液滴を噴射させるものに限定されない。その他の色のインクを貯留するインクカートリッジ及びインク噴射口を備えていてもよい。
描画ヘッド４１は、後述する爪情報検出部８１２により検出された爪情報等に基づいて、指Ｕ１の爪Ｔに描画を施すものである。
本実施形態では、描画ヘッド４１は、第１液滴（小液滴）とこれよりも液滴量の多い第２液滴（大液滴）とを選択的に噴射可能に構成されている。すなわち、描画ヘッド４１には、例えば、第１液滴を噴射させる径の小さな複数の第１ノズル４１１による第１ノズル群４１ａと、第２液滴を噴射させる径の大きな複数の第２ノズル４１２による第２ノズル群４１ｂとが形成されており、描画制御部８１４の制御に応じて、いずれかのノズル群からを噴射させるようになっている。ここで、描画ヘッド４１の第１ノズル４１１から第１液滴が噴射されて描画対象面に形成されるドットを第１液滴ドット（小液滴ドット）とし、描画ヘッド４１の第２ノズル４１２から第２液滴が噴射されて描画対象面に形成されるドットを第２液滴ドット（大液滴ドット）とする。
ここで、第２液滴とは、例えば着弾径が例えばφ４０μｍ以上の液滴であり、第１液滴とは例えば着弾径が例えばφ３０μｍ以下の液滴を意味する。
第１液滴は、飛翔距離が５ｍｍ程度までであれば描画対象面の所望の位置にほぼ正確に着弾し、高精細な描画を可能とする。しかし、飛翔距離が５ｍｍを超えると所望の位置に正確に着弾させることが難しくなり、描画した画像が乱れて画質が著しく悪化する。また、第１液滴は、飛翔距離が長くなるにつれて、次第にミスト化し、着弾すらしないまま空中に飛散してしまい、描画した画像の濃度が薄くなってしまう。これに対して、第１液滴よりも液滴量の多い第２液滴により描画した場合には、第１液滴に比べて粒状性のある画像となるが、飛翔距離が５ｍｍを超えても、所望の位置にほぼ正確に着弾させることができて、描画した画像が乱れることは少なく、描画した画像の濃度が薄くなってしまうことも少ない。
【００２４】
制御装置８０は、例えば筐体１１天面の下面側等に配置された図示しない基板等に設置されている。なお、本実施形態では、前述のように、基板は筐体１１天面の下面側等に配置されたメインの基板の他に、Ｘ方向移動ステージ４５やヘッドキャリッジ４２等にも分散して設けられており、これらが電気的に接続されることで各部が統括的に制御され、連係して動作するようになっている。
図３は、本実施形態における制御構成を示す要部ブロック図である。
制御装置８０は、図３に示すように、図示しないＣＰＵ（Central Processing Unit）により構成される制御部８１と、ＲＯＭ（Read Only Memory）及びＲＡＭ（Random Access Memory）等（いずれも図示せず）で構成される記憶部８２とを備えるコンピュータである。
【００２５】
記憶部８２には、ネイルプリント装置１を動作させるための各種プログラムや各種データ等が格納されている。
具体的には、記憶部８２のうち、ＲＯＭ等で構成されるプログラム記憶領域８２０には、例えば爪画像から爪Ｔの形状や爪Ｔの輪郭、爪Ｔの幅、爪Ｔの曲率等の各種の爪情報を検出するための爪情報検出プログラム、描画用データを生成するための描画データ生成プログラム、描画処理を行うための描画プログラム等の各種プログラムが格納されており、これらのプログラムが制御装置８０によって実行されることによって、ネイルプリント装置１の各部が統括制御されるようになっている。
また、本実施形態において記憶部８２には、本実施形態におけるインクによる液滴の噴射制御に関するパラメータ等のデータを格納する噴射制御データ記憶領域８２１、爪Ｔに描画されるネイルデザインの画像データを記憶するネイルデザイン記憶領域８２４、撮影機構５０によって取得されたユーザの指Ｕ１の爪Ｔの爪画像を記憶する爪画像記憶領域８２５、爪情報検出部８１２によって検出された爪情報（爪Ｔの輪郭や爪Ｔの幅、爪Ｔの傾斜角度（爪Ｔの曲率）等）が記憶される爪情報記憶領域８２６等が設けられている。
本実施形態において、噴射制御データ記憶領域８２１には、調整領域設定テーブル８２２（図６（ａ）、図６（ｂ）、図６（ｄ）参照）、噴射割合調整パラメータ８２３等が記憶されている。本実施形態では、調整領域設定テーブル８２２等が図６（ｃ）に示すように爪Ｔの湾曲レベル（図６（ｃ）では、曲面レベル０から曲面レベル５の６段階）に応じて規定されている。
なお、調整領域設定テーブル８２２及び噴射割合調整パラメータ８２３の詳細については、後述する。
【００２６】
制御部８１は、機能的に見た場合、撮影制御部８１１、爪情報検出部８１２、描画データ生成部８１３、描画制御部８１４、表示制御部８１５等を備えている。これら撮影制御部８１１、爪情報検出部８１２、描画データ生成部８１３、描画制御部８１４、表示制御部８１５等としての機能は、制御部８１のＣＰＵと記憶部８２のプログラム記憶領域８２０に記憶されたプログラムとの共働によって実現される。
【００２７】
撮影制御部８１１は、撮影機構５０の撮影装置５１及び照明装置５２を制御して撮影装置５１により、指固定部３に固定された指Ｕ１の爪Ｔの画像を含む指の画像（爪画像）を撮影させるものである。なお、指Ｕ１の爪Ｔは、何も塗られていない生爪の状態と、例えば白色の下地用のインクが塗布された状態と、この下地用のインクが塗布された領域上にネイルデザインが描画された状態とがある。
撮影機構５０により取得された爪画像の画像データは、記憶部８２の爪画像記憶領域８２５に記憶される。
【００２８】
爪情報検出部８１２は、撮影装置５１によって撮影された指固定部３に固定された指Ｕ１の爪Ｔの画像（爪画像）に基づいて、指Ｕ１の爪Ｔについての爪情報を検出するものである。
ここで、爪情報とは、例えば、爪Ｔの輪郭（爪形状、爪Ｔの水平位置のＸＹ座標等）、爪Ｔの高さ（爪Ｔの垂直方向の位置、以下「爪Ｔの垂直位置」又は単に「爪Ｔの位置」ともいう。）、爪Ｔの曲率（湾曲度合）等である。
なお、爪情報には、爪Ｔの指種（例えば右手の親指、左手の中指等の情報）が含まれていてよい。これらの情報は爪情報検出部８１２が爪画像を解析することにより検出されてもよいし、ユーザが操作部１２等から入力したものでもよい。
【００２９】
また、本実施形態では、爪情報検出部８１２は、描画対象となる爪Ｔを上面視したときの爪幅（図５（ａ）及び図５（ｂ）において爪幅Ｗ）を検出する。図５（ａ）に示す例では、爪Ｔが何も塗られていない生爪の状態である場合を示し、爪Ｔを上面視した場合に、爪Ｔの幅方向の端部が、指Ｕ１の爪床（爪と皮膚が密着している指先の皮膚）から離れる、爪Ｔの幅方向両側の爪端部ａ，ｂ間の長さ（幅寸法）を爪幅Ｗとしている。なお、爪Ｔに下地用のインクが塗布されている場合には、爪Ｔにおける下地用のインクが塗布された領域の表面を描画対象面とする。ここで、この下地用のインクが塗布されている領域の爪Ｔの幅方向の端は爪Ｔの爪床より爪Ｔの中央方向に入った位置にある場合もある。この場合、下地用のインクが塗布されている領域の爪Ｔの幅方向の幅寸法を爪幅Ｗとする。
なお、爪Ｔ又は下地用のインクが塗布されている領域のいかなる部分の幅寸法をもって爪幅Ｗとするかは、適宜設定可能であり、例えば、爪Ｔの幅方向において最も幅の広い部分の寸法を爪幅Ｗとしてもよい。
爪情報検出部８１２によって検出された結果である爪形状（爪Ｔの輪郭）、爪幅Ｗ、爪曲率、指種等の爪情報は、記憶部８２の爪情報記憶領域８２６に記憶される。
【００３０】
描画データ生成部８１３は、爪情報検出部８１２により検出された爪情報に基づいて、描画ヘッド４１により指Ｕ１の爪Ｔに施される描画用のデータを生成する。
具体的には、描画データ生成部８１３は、爪情報検出部８１２により検出された爪Ｔの形状等に基づいてネイルデザインの画像データを拡大、縮小、切出し等することにより爪Ｔの形状に合わせ込む合せ込み処理を行う。
さらに、描画データ生成部８１３は、適宜補正を行って描画対象面に描画する描画用データを生成する。
また、爪情報検出部８１２により爪Ｔの曲率等が取得されている場合には、描画データ生成部８１３は、例えば爪Ｔの曲率に応じて爪Ｔの両端部において描画した画像の濃度が低下しないように濃度調整を行う等の曲面補正を適宜行ってもよい。
なお、後述するように、本実施形態では、爪Ｔの両端部の所定範囲において第１液滴インクと第２液滴との噴射割合の調整を行うようになっており、爪Ｔの端部に行くほど描画した画像の濃度が濃くなるようにすることも可能である。この場合には描画用データを作成する段階で曲面補正を行う必要はない。
後述するように、特に曲面補正を施していない描画用データは、紙等の湾曲していない面（平面）に描画することを前提に作られた描画用データであり、第２液滴を噴射する第２液滴ノズル、第１液滴を噴射する第１液滴ノズルもともに、インクによる液滴を１００％噴射するように設定されている。
【００３１】
描画制御部８１４は、描画データ生成部８１３によって生成された描画用データに基づいて描画機構４０に制御信号を出力し、爪Ｔに対してこの描画用データにしたがった描画を施すように描画機構４０のＸ方向移動モータ４６、Ｙ方向移動モータ４８、描画ヘッド４１等を制御する制御部である。
【００３２】
本実施形態において、描画制御部８１４は、第２液滴インクの噴射割合を増加させる調整領域ＣＡを、爪Ｔの幅方向の両端部ａ，ｂ（図５（ａ）等参照）から中央部に向かう端部領域に設定し、この調整領域ＣＡにおいて、第２液滴の噴射割合を増加させるように描画ヘッド４１からのインクによる液滴の噴射を制御する。
具体的には、描画制御部８１４は、爪情報検出部８１２により検出された各種の爪情報と記憶部８２の噴射制御データ記憶領域８２１に記憶されている調整領域設定テーブル（図６（ａ）〜図６（ｂ）参照）に基づいて、爪Ｔの端部領域に所定幅（（図５（ｂ）等において幅Ｐ）の調整領域ＣＡを設定する。
さらに本実施形態の描画制御部８１４は、設定した調整領域ＣＡ内において、噴射制御データ記憶領域８２１に記憶されている噴射割合調整パラメータ８２３に基づいて、描画対象面に対して第１液滴、第２液滴の噴射量の割合の調整を行うようになっている。
【００３３】
まず、図５（ａ）及び図５（ｂ）と図６（ａ）から図６（ｄ）を参照しつつ、描画制御部８１４による調整領域ＣＡの設定について説明する。
図５（ｂ）は、図５（ａ）における矢視ｂ方向から見た爪Ｔと描画ヘッド４１との位置関係を模式に示す説明図である。
図５（ｂ）に示すように、描画対象面である爪Ｔの表面又は爪Ｔにおけるインクが塗布されている領域の表面は、幅方向の中央部の高さが高く、両端部では高さが低くなる曲面形状となっている。このため、爪Ｔの幅方向の中央部では、描画ヘッド４１と爪Ｔの表面との距離は小さい（図５（ｂ）において「距離Ｈ１」）が、爪Ｔの幅方向の両端部では、描画ヘッド４１と爪Ｔの表面との距離が大きくなってしまう（図５（ｂ）において「距離Ｈ２」）。
例えば、ネイルプリント装置１において、描画ヘッド４１から爪Ｔの中央部までの距離Ｈ１を２ｍｍに設定した場合には、描画ヘッド４１から爪Ｔの端部までの距離Ｈ２は５ｍｍ〜８ｍｍ程度となる。前述のように、第１液滴は飛翔距離が５ｍｍを超えると所望の位置に正確に着弾しにくくなる。このため、爪Ｔの端部付近では、第１液滴では正確な着弾が難しいが、第２液滴であれば、所望の位置にほぼ正確に着弾させることができる。
【００３４】
そこで、本実施形態では、調整領域設定テーブル８２２として、図６（ａ）に示すような爪幅Ｗと調整領域ＣＡの幅（図５（ｂ）において「Ｐ」）とを対応付けたテーブル８２２ａを備えており、描画制御部８１４は、図６（ａ）に示す調整領域設定テーブル８２２ａを参照して爪幅Ｗに対応する調整領域ＣＡの幅Ｐを設定するようになっている。
なお、この幅Ｐの値は描画対象面を爪Ｔの表面とした場合の値であって、調整領域ＣＡは、爪Ｔの幅方向の両端部（図５（ａ）及び図５（ｂ）において、「爪端部ａ，ｂ」）から爪Ｔの幅方向の中央部に向かう位置に幅Ｐを有して設定される。ここで、描画対象面を爪Ｔにおける下地用のインクが塗布された領域の表面とし、下地用のインクが塗布されている領域の爪Ｔの幅方向の端が爪Ｔの爪床より爪Ｔの中央方向に入った位置にある場合には、調整領域ＣＡの幅Ｐは、この爪Ｔにおける下地用のインクが塗布された領域の爪Ｔの幅方向の端の位置に応じて調整される。
以下においては、描画対象面を爪Ｔの表面とした場合について説明するが、描画対象面を爪Ｔにおけるインクが塗布された領域の表面とした場合にも同様の制御方式を適用することができる。例えば、図６（ａ）に示す調整領域設定テーブル８２２ａでは、爪幅Ｗが８ｍｍであるときは、調整領域ＣＡの幅Ｐを０．８ｍｍに設定し、爪幅Ｗが２０ｍｍであるときは、調整領域ＣＡの幅Ｐを２ｍｍに設定するように対応づけされている。
このように具体的な数値でテーブルを構成した場合には、描画制御部８１４は、合致する爪幅Ｗに対応する数値を読み出してくれば足りるため、調整領域ＣＡの幅の爪幅Ｗに対する割合を示す数値をパラメータとする場合と比べて演算処理の時間等を省くことができる。
なお、検出された爪幅Ｗが調整領域設定テーブル８２２ａに規定されている複数の爪幅Ｗのいずれにも合致しない場合には、調整領域設定テーブル８２２ａに規定されている複数の爪幅Ｗにおける検出された爪幅Ｗに最も近似する爪幅Ｗに対応する数値を調整領域ＣＡの幅Ｐとして読み出すようにしてもよいし、調整領域設定テーブル８２２ａに規定されている爪幅Ｗに対する値を各爪幅Ｗと検出された爪幅Ｗとの差分に応じて比例計算して、算出された値を調整領域ＣＡの幅Ｐとするようにしてもよい。
【００３５】
なお、図６（ａ）に示す調整領域設定テーブル８２２ａは一例であり、爪幅Ｗに対応する調整領域ＣＡの幅Ｐの規定の仕方はこれに限定されない。
また、調整領域設定テーブル８２２ａは具体的な数値によりテーブルが構成されているが、例えば、爪幅Ｗとこれに対する調整領域ＣＡの幅Ｐとの関係が割合で規定されていてもよい。この場合、例えば、爪幅Ｗが８ｍｍである場合には調整領域ＣＡの幅Ｐは爪幅Ｗの１０％、爪幅Ｗが２０ｍｍである場合には調整領域ＣＡの幅Ｐは爪幅Ｗの２０％等と設定され、爪幅Ｗが８ｍｍのときは、爪Ｔの幅方向の両端部ａ，ｂからそれぞれ０．８ｍｍの幅の領域が調整領域ＣＡとして設定され、爪幅Ｗが２０ｍｍのときは、爪Ｔの幅方向の両端部ａ，ｂからそれぞれ４ｍｍの幅の領域が調整領域ＣＡとして設定される。
このように爪幅Ｗとこれに対する調整領域ＣＡの幅Ｐとの関係が割合で規定されている場合には、具体的な数値でテーブルを構成する場合よりも様々な幅の爪Ｔに広く対応することができる。
【００３６】
また、調整領の域幅Ｐは、爪情報検出部８１２により検出される爪Ｔの曲率に応じて設定されてもよい。この場合、噴射制御データ記憶領域８２１に、図６（ｂ）に示す調整領域設定テーブル８２２ｂが用意される。
爪Ｔの湾曲レベルが高いほど、爪Ｔの各端部ａ，ｂの落ち込みが大きく、第１液滴では着弾しにくくなる。このためより広い幅で第１液滴、第２液滴の噴射量の割合（噴射割合）の調整を行うことが好ましい。
そこで、例えば、図６（ｂ）に示す調整領域設定テーブル８２２ｂでは、爪Ｔの湾曲レベルがほとんど湾曲していない湾曲レベル０から大きく湾曲した湾曲レベル５までの６段階に分けられており、爪Ｔがほぼ湾曲していないか、比較的湾曲の少ない湾曲レベル０又は１の場合には、調整領域ＣＡの幅Ｐが０％とされ、調整領域ＣＡを設定しない。
これに対して、湾曲レベル２の場合には、調整領域ＣＡの幅Ｐが１０％とされ、描画制御部８１４は、爪Ｔの幅方向の各端部ａ，ｂからそれぞれ１０％の幅の領域を調整領域ＣＡとして設定する。また、湾曲レベル５の場合には、調整領域ＣＡの幅Ｐが２５％とされ、描画制御部８１４は、爪Ｔの幅方向の各端部ａ，ｂからそれぞれ２５％の幅の領域を調整領域ＣＡとして設定する。
【００３７】
なお、湾曲レベルはここに示した６段階に限定されず、さらに細かく分けられていてもよいし、３段階等に大きく分けられていてもよい。
描画対象面となる爪Ｔの表面がいずれの湾曲レベルに属するかは爪情報検出部８１２により判断されて湾曲レベル情報が当該爪Ｔの爪情報として爪情報記憶領域８２６に記憶されてもよいし、爪情報検出部８１２により検出された爪Ｔの曲率に基づいて描画制御部８１４が、図６（ｃ）に示すように、各湾曲レベル０〜６に分類し、分類結果に基づいて図６（ｂ）に示すような調整領域設定テーブル８２２ｂを適用してもよい。
【００３８】
また、調整領域ＣＡの幅Ｐは、爪情報検出部８１２により検出される指種（爪Ｔに対応する指Ｕ１の種類）によって設定されてもよい。この場合には、噴射制御データ記憶領域８２１に、図６（ｄ）に示す調整領域設定テーブル８２２ｃが用意される。
爪Ｔの形状や大きさは、指種によって特徴があり、例えば小指等は比較的平らで爪幅Ｗも狭いのに対して、親指等は比較的爪Ｔの湾曲レベルが大きく爪幅Ｗも広い。
このため、親指の爪Ｔ等については他の指の爪Ｔよりも広い範囲に調整領域ＣＡを設定することが好ましい。
そこで、例えば、図６（ｄ）に示す調整領域設定テーブル８２２ｃでは、左右の親指の爪Ｔ以外の爪については、爪Ｔの幅方向の両端部ａ，ｂからそれぞれ１０％の幅の領域を調整領域ＣＡとして設定する。これに対して、左右の親指の爪Ｔについて場合には、調整領域ＣＡの幅Ｐが１５％とされ、描画制御部８１４は、爪Ｔの幅方向の各端部ａ，ｂからそれぞれ１５％の幅の領域を調整領域ＣＡとして設定する。
なお、指種に応じた調整領域ＣＡの幅Ｐは図６（ｄ）に示す例に限定されない。
【００３９】
なお、噴射制御データ記憶領域８２１には、調整領域設定テーブル８２２ａ〜８２２ｃの全てが記憶されていてもよいし、このうちのいずれかが記憶されていてもよい。
噴射制御データ記憶領域８２１に複数種類の調整領域設定テーブル８２２が記憶されている場合には、いずれかがデフォルトで設定され、ユーザ等により変更されない限り描画制御部８１４はデフォルトで設定された調整領域設定テーブル８２２を用いて調整領域ＣＡを設定してもよいし、複数種類の調整領域設定テーブル８２２を合わせて参照して調整領域ＣＡを設定してもよい。また、描画制御部８１４が各種条件に応じていずれかの調整領域設定テーブル８２２を選択してもよい。
【００４０】
また、噴射制御データ記憶領域８２１に記憶される、調整領域設定テーブル８２２はここに例示した調整領域設定テーブル８２２ａ〜８２２ｃに限定されず、他の要素を考慮したものであってもよい。
例えば、爪Ｔの端部ａ，ｂにおける深さ（例えば図５（ｂ）におけるＨ２−Ｈ１の距離）や爪Ｔの高さ寸法に応じて設定されていてもよい。
爪Ｔの高さが高いほど第１液滴の着弾率が低下するため、爪Ｔの高さ方向の形状に基づいて調整領域ＣＡを設定することで、第１液滴の着弾率の落ちるところを第２液滴で補完することができる。
【００４１】
また、描画制御部８１４が調整領域設定テーブル８２２を参照することで設定した調整領域ＣＡの幅Ｐは、事後的に変更可能となっていてもよい。
例えば、爪Ｔ等に描画し、その描画結果からユーザが調整領域ＣＡの幅Ｐを狭めたい又は広げたい場合、操作部１２等を操作することで、調整領域設定テーブル８２２によってデフォルトで規定された調整領域ＣＡの幅Ｐを変更できるようになっていてもよい。
この場合、具体的には、操作部１２等に、例えばプラス変更、マイナス変更を入力可能な調整領域幅変更スイッチ等を設けておき、ユーザがこれを１回操作するごとに、制御部８１がこれを受け付けて、デフォルトで設定された調整領域ＣＡの幅Ｐの閾値を１段階ずつプラス方向又はマイナス方向に変更できるようにする。
【００４２】
例えば、曲面レベル２と判断された爪Ｔについて調整領域設定テーブル８２２ｂにより、爪幅Ｗの端部１０％を調整領域ＣＡとするよう設定された場合に、ユーザが調整領域幅変更スイッチをプラス方向に１回操作すると、調整領域ＣＡの幅Ｐの設定が、爪幅Ｗの端部１１％に変更される。逆に、ユーザが調整領域ＣＡの幅Ｐを狭めたいときには、調整領域幅変更スイッチをマイナス方向に１回操作すると、調整領域ＣＡの幅Ｐの設定が、爪幅Ｗの端部９％に変更される。変更後の情報は、当該ユーザ固有の新たな調整領域設定テーブル８２２として噴射制御データ記憶領域８２１に記憶されてもよいし、デフォルトのテーブル８２２がユーザの操作により更新されてもよい。
このように、操作部１２からの入力指示に応じて、デフォルトのテーブル８２２を変更可能とした場合には、ユーザの好みに応じた仕上がりのネイルプリントを実現することができる。
なお、描画制御部８１４により設定された調整領域ＣＡは、爪画像等に重畳させて表示装置等に表示させてもよい。これにより、調整領域ＣＡが爪Ｔのどの範囲に設定されたかをユーザが確認することができ、調整領域ＣＡの幅Ｐの修正や微調整を行いやすくなる。
【００４３】
次に、図７（ａ）から図７（ｃ）を参照しつつ、描画制御部８１４による第１液滴ドット形成領域に対する第２液滴の噴射割合及び第１液滴ドット形成領域に対する第１液滴の噴射割合の調整について説明する。
ここで、第１液滴ドット形成領域に対する第２液滴の噴射割合とは、作成された描画用データに基づいた第２液滴ドットを形成すべき領域（第２液滴ドット形成予定領域）には、描画用データに従って第２液滴ノズル４１２から第２液滴を噴射している状態を０％として、描画用データに基づいた第１液滴ドットを形成すべき領域（第１液滴ドット形成予定領域）に対する、第２液滴ノズル４１２から第２液滴を噴射して第２液滴ドットを形成する割合を示している。すなわち、第２液滴の噴射割合が例えば１０％のときは、第１液滴ドット形成予定領域のうちの１０％の領域に第２液滴を噴射して第２液滴ドットを形成することを意味し、第２液滴の噴射割合が５０％のときは、第１液滴ドットを形成するように規定されている複数の箇所のうちの５０％、つまり２箇所中の１箇所に、第２液滴を噴射して第２液滴ドットを形成することを意味し、第２液滴の噴射割合が１００％のときは、第１液滴ドットを形成するように形成されている複数の箇所の全てで第２液滴を噴射して第２液滴ドットを形成することを意味する。ここで、第２液滴の噴射割合が１００％でないときに、第１液滴ドットを形成するように設定されている複数の箇所のうちのどの箇所に第２液滴ドットを形成するかは特に限定されないが、第２液滴ドットを形成する箇所に偏りが生じないようにすることが好ましく、第２液滴ドットを形成する箇所が第１液滴ドットを形成するように設定されている複数の箇所からランダムに選択されることが好ましい。
また、第１液滴ドット形成予定領域に対する第１液滴の噴射割合とは、作成された描画用データに基づいた第１液滴ドットを形成すべき領域（第１液滴ドット形成予定領域）の全部に、描画用データに従って第１液滴ノズル４１１から第１液滴を噴射している状態を１００％として、第１液滴ドット形成予定領域に対する、第１液滴ノズル４１１から第１液滴を噴射して第１液滴ドットを形成する割合を示している。すなわち、第１液滴ドット形成予定領域に対する第１液滴の噴射割合が１０％のときは、第１液滴ドット形成予定領域のうちの１０％の領域に第１液滴ドットを形成し、残りの箇所には第１液滴ドットを形成しないことを意味し、第１液滴ドット形成予定領域に対する第１液滴の噴射割合が５０％のときは、第１液滴ドット形成予定領域のうちの５０％の領域に第１液滴ドットを形成し、残りの箇所には第１液滴ドットを形成しないことを意味し、第１液滴ドット形成予定領域に対する第１液滴の噴射割合が０％のときは、第１液滴ドット形成予定領域に第１液滴ドットを形成しないことを意味する。ここで、図７（ａ）及び図７（ｂ）に示す、第１液滴ドット形成予定領域に対する第１液滴の噴射割合が１００％未満で０％でないときに第１液滴ドット形成予定領域のうちの第１液滴ドットを形成する箇所は、第１液滴ドット形成予定領域に対する第２液滴の噴射割合に応じて第２液滴ドットを形成する箇所とは異なる箇所に設定される。
【００４４】
なお、図７（ａ）から図７（ｃ）において、「Ｗ」は図５（ａ）及び図５（ｂ）と同様に爪幅Ｗを意味し、「ａ」「ｂ」は爪Ｔの幅方向の両端部を意味する。また、「Ｐ」は図５（ｂ）と同様に調整領域ＣＡの幅を示している。すなわち、図７（ａ）から図７（ｃ）では、爪Ｔの幅方向の両端部ａ，ｂから中央部に向かう端部領域であって調整領域ＣＡの幅Ｐの領域（図７（ａ）から図７（ｃ）においてａ−ｃ間及びｄ−ｂ間）に調整領域ＣＡが設定されている場合を例示している。
また、図７（ａ）から図７（ｃ）では、グラフ上側第１液滴ドット形成予定領域に対する第２液滴の噴射割合を示し、グラフ下側に第１液滴ドット形成予定領域に対する第１液滴の噴射割合を示している。
【００４５】
前述のように、湾曲している爪Ｔの端部においては、図５（ｂ）に示すように爪Ｔと描画ヘッド４１との距離（図５（ｂ）において距離Ｈ２）が距離Ｈ１より大きくなり、第１液滴により形成される第１液滴ドットでは着弾性が低下し、それにより描画した画像が乱れるとともに描画した画像の濃度も低くなってしまう。
このため、本実施形態では、第１液滴ドット形成予定領域に対する第２液滴の噴射割合を増加させる調整領域ＣＡを、爪Ｔの幅Ｗ方向の両端部ａ，ｂから中央部に向かう端部領域に設定し、この調整領域ＣＡにおいては、爪Ｔの両端部ａ，ｂに向かって第１液滴ドット形成予定領域に対する第２液滴の噴射割合を増加させるように、描画制御部８１４が描画ヘッド４１からのインクによる液滴の噴射を制御する。
【００４６】
調整領域ＣＡにおける第１液滴ドット形成予定領域に対する第２液滴の噴射割合の調整及び第１液滴の噴射割合の調整を行う手法としては各種の手法を採用可能であり、図７（ａ）から図７（ｃ）では、描画制御部８１４によって行われる制御の３種類の調整モードを例示している。
【００４７】
まず、調整領域ＣＡとされていない爪Ｔの中央部（６（ａ）において、ｃからｄの間の領域）は、ほぼ平坦となっている。
このため、描画制御部８１４は、各調整モード（図７（ａ）から図７（ｃ）に示す調整モード１から調整モード３）に共通して、爪Ｔの幅方向におけるｃからｄの間の領域では、紙等の湾曲していない面（平面）に描画することを前提に作られた描画用データにおいて第２液滴ドットを形成するように規定されている箇所には第２液滴を噴射させ、第１液滴ドットを形成するように規定されている箇所には第１液滴を噴射させる。すなわち、この領域では、第１液滴ドット形成予定領域に対する第２液滴の噴射割合は０％、第１液滴の噴射割合は１００％となる。
【００４８】
そして、図７（ａ）に示す調整モード１では、爪幅Ｗ方向の端部ａからｃまで及び端部ｄからｂまでの幅Ｐの調整領域ＣＡにおいて、描画制御部８１４が、ｃから端部ａに向かって及びｄから端部ｂに向かって、第１液滴の噴射割合を減少させるとともに、これを補うように、第１液滴ドットに対する第２液滴の噴射割合を増加させる。すなわち、この調整モード１においては、調整領域ＣＡにおいて、描画データにおいて規定されている複数の第１液滴ドットの少なくとも一部を第２液滴ドットに置き換えるように制御され、複数の第１液滴ドットのうちの第２液滴ドットに置き換える比率をｃから端部ａに向かって増加させる。同様に、複数の第１液滴ドットのうちの第２液滴ドットに置き換える比率をｄから端部ｂに向かって増加させる。
そして、描画制御部８１４は、調整領域ＣＡ内の爪Ｔの幅Ｗ方向の両端部ａ，ｂに向かういずれかの位置において第１液滴の噴射割合を０％として、複数の第１液滴ドットをすべて第２液滴ドットに置き換えるように、描画ヘッド４１からのインクによる液滴の噴射を制御する。
図７（ａ）に示す例では、描画制御部８１４が、調整領域ＣＡにおいて爪Ｔの幅Ｗ方向の両端部ａ，ｂに向かって徐々に第１液滴の噴射割合を減少させていくとともに、第１液滴ドット形成予定領域に対する第２液滴の噴射割合を増加させていき、第１液滴ドットを１対１で第２液滴ドットに置き換えていく。そして、爪Ｔの幅Ｗ方向の両端部ａ，ｂにおいて第１液滴の噴射割合を０％とするとともに、第１液滴ドット形成予定領域に対する第２液滴の噴射割合を１００％として、複数の第１液滴ドットをすべて第２液滴ドットに置き換える場合を示している。
この場合には、第１液滴が着弾できずにミスト状になって装置内に飛散するのを抑制することができる。また、同じ数の第１液滴ドットと第２液滴ドットとでは後者の方がインクの総量が多くなって、前者より後者の方が色が濃くなるため、曲面補正を別途行わなくても爪Ｔの端部において描画した画像の色が薄くなる不具合を抑制することもできる。ただし、複数の第１液滴ドットをすべて第２液滴ドットに置き換えた場合に、調整領域ＣＡにおけるインクの総量が多くなり過ぎて、爪Ｔの端部において描画した画像の色が濃くなりすぎる場合もある。
【００４９】
次に、図７（ｂ）に示す調整モード２では、図７（ａ）に示す調整モード１の場合と同様に、爪幅Ｗ方向の端部ａからｃまで及び端部ｄからｂまでの幅Ｐの調整領域ＣＡにおいて、描画制御部８１４が、ｃから端部ａに向かって及びｄから端部ｂに向かって、第１液滴の噴射割合を減少させるとともに、これを補うように、第１液滴ドット形成予定領域に対する第２液滴の噴射割合を増加させる。そして、爪Ｔの幅Ｗ方向の両端部ａ，ｂにおいて第１液滴の噴射割合を０％とするとともに、第１液滴ドットに対する第２液滴の噴射割合を１００％より小さくするように設定されている。図７（ｂ）に示す例では、爪Ｔの幅Ｗ方向の両端部ａ，ｂにおいて第１液滴ドット形成予定領域に対する第２液滴の噴射割合を５０％とした場合を例示している。
すなわち、この調整モード２においても、調整領域ＣＡにおいて、描画データにおいて規定されている複数の第１液滴ドットの少なくとも一部を第２液滴ドットに置き換えるように制御され、複数の第１液滴ドットのうちの第２液滴ドットに置き換える比率をｃから端部ａに向かって増加させる。同様に、複数の第１液滴ドットのうちの第２液滴ドットに置き換える比率をｄから端部ｂに向かって増加させる。ただし、この調整モード２においては、調整領域ＣＡにおいて、第１液滴ドットを１対１で第２液滴ドットに置き換えるのではなく、第１液滴ドット形成予定領域のうちの第１液滴の噴射割合に応じて第１液滴ドットが形成されない箇所のうちの、第１液滴ドットに対する第２液滴の噴射割合の値に応じた割合の箇所を第２液滴ドットに置き換えるようにされる。つまり、図７（ｂ）に示す、両端部ａ，ｂで第１液滴の噴射割合が０％であって、第１液滴ドット形成予定領域に対する第２液滴の噴射割合が５０％となっている場合には、描画用データにおいて規定されている複数の第１液滴ドットのうちの５０％を第２液滴ドットに置き換えるようにされる。また、例えば、第１液滴の噴射割合が５０％であって、第１液滴ドット形成予定領域に対する第２液滴の噴射割合が２５％となっている場合には、描画用データにおいて規定されている複数の第１液滴ドットのうちの５０％に第１液滴ドットが形成され、複数の第１液滴ドットのうちの２５％を第２液滴ドットに置き換えるようにされる。
この調整モード２においては、爪Ｔの端部において描画した画像の濃度が濃くなり過ぎることを抑制することができる。
【００５０】
次いで、図７（ｃ）に示す調整モード３では、図７（ａ）に示す調整モード１の場合と同様に、爪幅Ｗ方向の端部ａからｃまで及び端部ｄからｂまでの幅Ｐの調整領域ＣＡにおいて、描画制御部８１４は、ｃから端部ａに向かって及びｄから端部ｂに向かって、第１液滴ドット形成予定領域に対する第２液滴の噴射割合を増加させる。ただし、この調整モード３においては、調整領域ＣＡにおいて第１液滴の噴射割合を減少させることはせず、調整領域ＣＡにおいても、ｃからｄの間の領域と同様に、第１液滴の噴射割合を１００％に維持させる。すなわち、この調整モード３においては、調整領域ＣＡにおいて、描画データにおいて規定されている複数の第１液滴ドットの箇所に第１液滴を噴射させるとともに、複数の第１液滴ドットの少なくとも一部と同じ箇所に第２液滴を噴射して第２液滴ドットを形成するように構成される。この場合に、前述のように、第１液滴は調整領域ＣＡにおいて爪幅Ｗ方向の端部に近づくほど着弾率が低下する。そのため、第１液滴の実質的な噴射割合は、図７（ｃ）の第１液滴の噴射割合のグラフ中に点線で示すように、爪幅Ｗ方向の端部に近づくほど減少することになる。そのため、結果として上記の調整モード１の場合と同様に、第１液滴の噴射割合を爪幅Ｗ方向の端部に向かって徐々に減少させたのと同様の状態となる。このため、実質的に、調整モード１の場合と同等の結果を得ることができる。
【００５１】
なお、調整領域ＣＡにおける第１液滴ドット形成予定領域に対する第２液滴の噴射割合及び第１液滴の噴射割合の調整の仕方は、上記の調整モード１から調整モード３に限るものではなく、適宜設定可能である。
例えば、爪Ｔの形状による描画ヘッド４１と爪表面の距離の変化に応じた第１液滴の着弾量の変化から、着弾する第１液滴の減少分を補うように第１液滴ドット形成予定領域に対する第２液滴の噴射割合を増加させるようにしてもよい。
また、描画ヘッド４１と爪表面の距離の変化に応じて第１液滴の着弾量が減少していく割合を実験から求め、例えば第１液滴の着弾量の減少率が５０％程度（すなわち第１液滴の５０％程度は着弾する）であれば、第１液滴の噴射量の５０％まで第２液滴を次第に増やすようにしてもよい。
また第２液滴を増加させるカーブはリニアや爪形状に合わせたものでなくてもよい。例えば、第１液滴の着弾性に合わせて作られたカーブを用いてもよい。
なお、第１液滴の着弾量の減少を第２液滴で補う補正のカーブは第２液滴の１噴射における噴射量と第１液滴の１噴射における噴射量とに応じて変わるものである。
また、第１液滴の噴射割合は、図７（ａ）及び図７（ｂ）に示すように爪Ｔの端部ａ，ｂにおいて０％になる場合に限定されず、爪Ｔの端部ａ，ｂに向かういずれかの時点で０％となってもよい。
【００５２】
表示制御部８１５は、表示装置１３を制御して、各種の表示画面を表示させるものである。
本実施形態では、表示制御部８１５は、例えば、指Ｕ１を撮影して得られた爪画像や、爪Ｔに描画すべき画像（すなわち、「ネイルデザイン」）を選択するためのデザイン選択画面、デザイン確認用のサムネイル画像、各種の指示を表示させる指示画面等を表示装置１３に表示させるようになっている。
また、調整領域ＣＡの設定を行う際に、爪Ｔのどの範囲に調整領域ＣＡが設定されているかを表示装置１３に表示させるようにしてもよい。これにより、ユーザは調整領域ＣＡの設定範囲を確認して必要に応じて変更・修正を行うことができる。
【００５３】
次に、図８等を参照しつつ、本実施形態におけるネイルプリント装置１による描画方法について説明する。
このネイルプリント装置１により描画を行う場合、ユーザはまず、電源スイッチを入れて制御装置８０を起動させる。
表示制御部８１５は、表示装置１３にデザイン選択画面を表示させ、ユーザは操作部１２等を操作して、デザイン選択画面に表示された複数のネイルデザインの中から所望のネイルデザインを選択することにより、操作部１２から選択指示信号が出力されて、一つのネイルデザインが選定される。
【００５４】
次に、ユーザが指Ｕ１を指固定部３内に挿入し、指Ｕ１のセットが完了すると、撮影制御部８１１が撮影機構５０を制御して指Ｕ１の爪Ｔを撮影させ、図８に示すように、爪画像を取得する（ステップＳ１）。爪画像が取得されると、爪情報検出部８１２は、当該爪画像から爪形状（爪Ｔの輪郭）や爪Ｔの曲率の他、爪幅Ｗを検出する（ステップＳ２）。爪情報が取得されると、描画データ生成部８１３においてネイルデザインの画像データを爪Ｔに合せ込み適宜補正を行って描画用データが生成される（ステップＳ３）。生成された描画用データは描画制御部８１４に送られる。
【００５５】
また、爪幅Ｗが検出されると、描画制御部８１４は、噴射制御データ記憶領域８２１から調整領域設定テーブル８２２を読み出してこれを参照し、爪幅Ｗに対応する調整領域ＣＡの幅Ｐ（図５（ｂ）及び図６（ａ）参照）を取得する（ステップＳ４）。なお、調整領域設定テーブル８２２において、調整領域ＣＡの幅Ｐが爪幅Ｗに対する割合（例えば、爪幅Ｗの１０％等）で規定されているときは、調整領域設定テーブル８２２を参照して取得した割合を用いて当該爪幅Ｗにおける調整領域ＣＡの幅Ｐを算出する。例えば、調整領域ＣＡの幅Ｐが爪幅Ｗに対する割合が１０％である場合、Ｐ＝Ｗ×１０／１００となり、爪幅Ｗが２０ｍｍであれば、調整領域ＣＡの幅Ｐは２ｍｍとなる。
次に、描画制御部８１４は、噴射割合調整パラメータを参照して、調整領域ＣＡ内における第１液滴ドットに対する第２液滴の噴射割合及び第１液滴の噴射割合を設定する（ステップＳ５）。すなわち、図７（ａ）〜図７（ｃ）等に示す調整モード１から調整モード３のいずれかを描画動作において適用するように設定する。
【００５６】
調整領域ＣＡの幅Ｐ及び調整モードが設定されると、描画制御部８１４は、描画用データを描画機構４０に出力して描画動作を開始する（ステップＳ６）。
このとき、爪Ｔの幅方向の一方側の端部（描画初期位置）から他方側の端部に向かって描画ヘッド４１を移動させながら描画動作が行われ、描画制御部８１４は、随時、描画位置（図５（ｂ）において２つの描画位置Ｄ１，Ｄ２を黒点で例示する）の、描画初期位置（爪端部）からの距離Ｄｐ（Ｄｐ１，Ｄｐ２）を取得する（ステップＳ７）。そして、描画制御部８１４は、取得した距離Ｄｐから、描画位置が爪Ｔの描画範囲内か否か（すなわち、爪Ｔの輪郭の内側か否か）を判断する（ステップＳ８）。描画位置が描画範囲内であると判断すると（ステップＳ８；ＹＥＳ）、描画制御部８１４は、それが第１液滴と第２液滴との噴射割合の調整が必要な調整領域ＣＡ内か否かを判断する（ステップＳ９）。具体的には、Ｄｐ＜Ｐであるか、Ｄｐ＞Ｗ−Ｐである場合には、描画位置が調整領域ＣＡ内であると判断（ステップＳ９；ＹＥＳ）し、それ以外の場合には描画位置が調整領域ＣＡ内ではないと判断（ステップＳ９；ＮＯ、すなわち、第１液滴の噴射割合は１００％、第１液滴ドットに対する第２液滴の噴出割合は０％の領域内と判断）する。
【００５７】
すなわち、例えば、爪幅Ｗが２０ｍｍであり、調整領域ＣＡの幅Ｐが２ｍｍである場合、図５（ｂ）における描画初期位置（爪端部）からの距離Ｄｐ（Ｄｐ１）が、Ｄｐ１＜Ｐ（例えば、１．８ｍｍ）である描画位置Ｄ１は、調整領域ＣＡ内であると判断される。また、図５（ｂ）における描画初期位置（爪端部）からの距離Ｄｐ（Ｄｐ２）が、Ｄｐ２＞Ｐ（例えば、５ｍｍ）である描画位置Ｄ２は、調整領域ＣＡ外であると判断される。
描画位置が調整領域ＣＡ内であると判断された場合（ステップＳ９；ＹＥＳ）には、描画制御部８１４は、例えば第１液滴の噴射割合を減少させるとともに、第１液滴ドットに対する第２液滴の噴射割合を増加させて描画するように描画ヘッド４１を制御する（ステップＳ１０）。また、描画位置が調整領域ＣＡ内ではないと判断（すなわち、調整領域ＣＡ外と判断）された場合（ステップＳ９；ＮＯ）には、描画制御部８１４は、第１液滴の噴射割合を１００％とするとともに、第１液滴ドット形成予定領域に対する第２液滴の噴射割合を０％にして、第１液滴と第２液滴とにより描画するように描画ヘッド４１を制御する（ステップＳ１１）。
【００５８】
第１液滴と第２液滴を所定の噴射割合で噴射させて描画が行われた場合（ステップＳ１０又はステップＳ１１）、若しくは描画位置が爪Ｔの描画範囲内でない場合（ステップＳ８；ＮＯ）には、描画制御部８１４は、当該爪Ｔについて描画が終了したか否かを判断し（ステップＳ１２）、描画が終了していないと判断する場合（ステップＳ１２；ＮＯ）には、ステップＳ７に戻って処理を繰り返す。他方、当該爪Ｔについて描画が終了したと判断する場合（ステップＳ１２；ＹＥＳ）には、描画制御部８１４は、描画処理を終了する。
なお、他にも描画する指の爪Ｔがある場合には、指Ｕ１を入れ替えて、上記の処理を繰り返す。
【００５９】
また、描画が完了した爪Ｔを見て、ユーザが調整領域ＣＡの幅Ｐを変更したい場合には、操作部１２を操作することにより、パラメータを変更・調整することができる。すなわち、例えば、爪Ｔの端部近傍において描画された画像の濃度が濃い領域が広すぎると感じる場合には、調整領域ＣＡの幅Ｐを狭くする（第２液滴を増加させる領域を狭くする）方向にパラメータを修正し、爪Ｔの端部近傍にインクによる液滴が十分に付着していない、あるいは色の薄い部分があると感じる場合には、調整領域ＣＡの幅Ｐを広くする（第２液滴を増加させる領域を広くする）方向にパラメータを修正する。一旦修正されたパラメータは修正後の状態で噴射制御データ記憶領域８２１に記憶される。なお、同じユーザの同じ指の爪Ｔが描画対象となる次回以降の描画の際には、この修正後のパラメータが参照されるようにすることが好ましい。
【００６０】
以上のように、本実施形態によれば、ネイルプリント装置１が、第１液滴と、該第１液滴よりも液滴量の多い第２液滴と、を選択的に噴射可能に構成された描画ヘッド４１によって描画を行うものである場合に、描画対象となる爪Ｔの幅方向の長さを爪幅Ｗとして検出して、第１液滴ドット形成予定領域に対する第２液滴の噴射割合を増加させる調整領域ＣＡを、爪Ｔの幅方向の両端部ａ，ｂから中央部に向かう端部領域に設定し、この調整領域ＣＡにおいて、第１液滴ドット形成予定領域に対する第２液滴の噴射割合を増加させるように、前記描画ヘッド４１からのインクによる液滴の噴射を制御するようになっている。
これにより、第１液滴では正確な着弾が難しくなる爪Ｔの端部においても、描画した画像が乱れたり描画した画像の濃度が低下したりすることを抑制して、爪Ｔ全体に美しい仕上がりのネイルプリントを施すことができる。
また、本実施形態では、単に撮影機構５０によって取得した画像から爪Ｔを上面視したときの爪幅Ｗを検出し、この爪幅Ｗと予め記憶されているテーブルやパラメータとに基づいて、爪Ｔの端部に調整領域ＣＡを定め、調整領域ＣＡ内では第２液滴の噴出割合を増加させることにより、爪端部において描画した画像の濃度が低下することを抑制するようにしている。このため、描画ヘッド４１から爪Ｔの表面までの距離を測定する必要等がなく、別途センサ等を設ける必要もないため、簡易で安価な装置構成により、高精細な描画を実現することができる。
【００６１】
また、本実施形態では、描画制御部８１４は、調整領域ＣＡ内において第１液滴ドット形成予定領域に対する第２液滴の噴射割合を段階的に増加させるように描画ヘッド４１からのインクによる液滴の噴射を制御する。
このようにすることで、調整領域ＣＡの内外の境界部分において筋や色むら等を生じにくく、より自然で高精細な仕上がりを実現することができる。
【００６２】
また、本実施形態では、描画制御部８１４は、調整領域ＣＡにおいて、第１液滴の噴射割合を減少させるとともに、当該減少分を補う量の第２液滴を噴射させるように描画ヘッド４１からのインクによる液滴の噴射を制御する。
これにより、調整領域ＣＡにおいて第１液滴ドットを第２液滴ドットで置き換えていく場合にもインク濃度が濃くなりすぎず、自然な仕上がりとすることができる。
【００６３】
また、本実施形態では、描画制御部８１４は、調整領域ＣＡ内の爪Ｔの幅Ｗ方向の両端部ａ，ｂに向かういずれかの位置において第１液滴の噴射割合が０％となるように描画ヘッド４１からのインクによる液滴の噴射を制御する。
爪Ｔの端部である調整領域ＣＡ内は、描画ヘッド４１と爪Ｔの表面との距離が離れているため第１液滴の着弾率が低下する。このため、第１液滴を噴射させてもずれた位置に着弾してかえって描画の仕上がりを乱したり、インクによる液滴がミスト状になることで空気中に飛散し装置内に付着したりする等のおそれがある。
この点、調整領域ＣＡ内のいずれかの位置において第１液滴の噴射割合を０％とすることで正しく着弾できなかった第１液滴による弊害を抑えることができる。
【００６４】
また、本実施形態では、爪情報検出部８１２による検出結果に基づいて、調整領域ＣＡにおける第１液滴ドット形成予定領域に対する第２液滴の噴射割合及び第１液滴の噴射割合とを規定する噴射割合調整パラメータ８２３が記憶部８２の噴射制御データ記憶領域８２１に記憶されており、描画制御部８１４は、噴射割合調整パラメータ８２３を参照して調整領域ＣＡにおける描画ヘッド４１からのインクによる液滴の噴射を制御する。
これにより、パラメータに基づいて簡易に噴出割合の制御を行うことができる。
【００６５】
なお、以上本発明の実施形態について説明したが、本発明は、かかる実施形態に限定されず、その要旨を逸脱しない範囲で、種々変形が可能であることは言うまでもない。
【００６６】
例えば、本実施形態では、図６（ｂ）の爪Ｔの湾曲レベルに応じたパラメータは、予め用意された湾曲レベルの中から描画制御部が自動的に適用するレベルを選択する場合を例示したが、爪Ｔの湾曲レベルの分類・選択は、制御部５１によって自動的に行われる場合に限定されず、例えば、ユーザやネイルサロンのスタッフ等が描画対象となる爪Ｔに合うと思われるパターンを選択して、当該パターンに対応したパラメータを用いるよう、操作部１２等から入力指示してもよい。
このように、爪Ｔをパターン部類し、パターンごとに異なるパラメータを適用することにより、爪Ｔごとの形状に応じたより適切な調整領域ＣＡの幅を設定することが可能となる。
【００６７】
また、本実施形態では、プログラム記憶領域８２０、噴射制御データ記憶領域８２１、ネイルデザイン記憶領域８２４、爪画像記憶領域８２５、爪情報記憶領域８２６等が制御装置８０の記憶部８２内に設けられている場合を例としたが、これら各記憶領域は制御装置８０の記憶部８２（ＲＯＭ、ＲＡＭ）に設けられている場合に限定されず、別途記憶部が設けられていてもよい。
また、ネイルプリント装置１を外部の端末装置と連携させて、外部の端末装置に記憶されている情報を用いてもよい。
【００６８】
また、本実施形態では、指を１本ずつ装置に挿入して順次描画を行うネイルプリント装置１を例としたが、複数の指が同時に挿入されて、各指に連続して描画を行うことのできる装置に本発明を適用することも可能である。
【００６９】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
第１液滴ドットを形成するための第１液滴と、前記第１液滴よりも液滴量が多く、第２液滴ドットを形成するための第２液滴と、を噴射可能で、第１方向に沿って凸状に湾曲している描画対象面に、前記第１液滴ドット及び前記第２液滴ドットの少なくとも何れかを形成して画像の描画を行う描画ヘッドと、
前記描画ヘッドを制御する描画制御部と、
を備え、
前記描画制御部は、
前記描画対象面の前記第１方向の両端の少なくとも一方側の調整領域内において、前記画像の描画用データに基づいた前記第１液滴ドットを形成すべき第１液滴ドット形成予定領域の少なくとも一部に、前記第２液滴ドットを形成するように、前記描画ヘッドによる前記第２液滴の噴射を制御することを特徴とする描画装置。
＜請求項２＞
前記描画用データは、湾曲していない面に前記画像を描画することを前提として生成されているものであることを特徴とする請求項１に記載の描画装置。
＜請求項３＞
前記描画制御部は、
前記描画対象面における前記調整領域以外の領域では、前記第１液滴ドット形成予定領域に前記第１液滴ドットを形成し、前記描画用データに基づいた前記第２液滴ドットを形成すべき第２液滴ドット形成予定領域に前記第２液滴ドットを形成するように、前記描画ヘッドによる前記第１液滴及び前記第２液滴の噴射を制御することを特徴とする請求項１又は請求項２に記載の描画装置。
＜請求項４＞
前記描画制御部は、
前記調整領域内の前記第１液滴ドット形成予定領域における前記第２液滴ドットを形成する割合を、前記描画対象面における前記第１方向の端に近づくほど増加させるように前記描画ヘッドによる噴射を制御することを特徴とする請求項１から請求項３のいずれか一項に記載の描画装置。
＜請求項５＞
前記描画制御部は、
前記調整領域内の前記第１液滴ドット形成予定領域に対して前記第１液滴ドットを形成する割合を、前記描画対象面の前記第１方向の端に近づくほど減少させるように前記描画ヘッドによる噴射を制御することを特徴とする請求項４に記載の描画装置。
＜請求項６＞
前記描画制御部は、
前記調整領域内の前記第１液滴ドット形成予定領域に対して前記第１液滴ドットを形成する割合を、前記調整領域内における前記第１方向に沿った端に向かういずれかの位置において０％とするように前記描画ヘッドによる噴射を制御することを特徴とする請求項５に記載の描画装置。
＜請求項７＞
前記描画制御部は、
前記調整領域内の前記第１液滴ドット形成予定領域の中の、前記第１液滴ドットを形成しないようにされた領域の少なくとも一部に前記第２液滴ドットを形成するように前記描画ヘッドによる噴射を制御することを特徴とする請求項５又は請求項６に記載の描画装置。
＜請求項８＞
前記描画制御部は、
前記調整領域内の前記第１液滴ドット形成予定領域の中の、前記第１液滴ドットを形成しない用にされた領域に前記第２液滴ドットを形成するように前記描画ヘッドによる噴射を制御することを特徴とする請求項５又は請求項６に記載の描画装置。
＜請求項９＞
前記描画対象面は、指の爪の表面又は前記爪に塗布されたインクの表面であり、
前記第１方向は前記爪の幅方向であり、
前記描画対象面の幅及び前記幅方向の曲率を検出する爪情報検出部を備え、
前記描画制御部は、前記爪情報検出部により検出された前記描画対象面の幅及び前記幅方向の曲率の値に基づいて前記調整領域を設定することを特徴とする請求項１から請求項８のいずれか一項に記載の描画装置。
＜請求項１０＞
前記描画対象面は、手の複数の指のそれぞれにおける爪の表面又は前記爪におけるインクが塗布された領域の表面であり、
前記第１方向は前記爪の幅方向であり、
前記複数の指のうちの前記描画対象面を有する前記指の種類を検出する爪情報検出部を備え、
前記描画制御部は、前記爪情報検出部により検出された前記指の種類に基づいて前記調整領域を設定することを特徴とする請求項１から請求項８のいずれか一項に記載の描画装置。
＜請求項１１＞
描画装置の描画方法であって、
前記描画装置は、第１液滴ドットを形成するための第１液滴と、前記第１液滴よりも液滴量が多く、第２液滴ドットを形成するための第２液滴と、を噴射可能で、第１方向に沿って凸状に湾曲している描画対象面に、前記第１液滴ドット及び前記第２液滴ドットの少なくとも何れかを形成して画像の描画を行う描画ヘッドを備え、
前記描画対象面の前記第１方向の両端の少なくとも一方側の調整領域内において、前記画像の描画用データに基づいた前記第１液滴ドットを形成すべき第１液滴ドット形成予定領域の少なくとも一部に、前記第２液滴ドットを形成するように、前記描画ヘッドによる噴射を制御することを特徴とする描画方法。
【符号の説明】
【００７０】
１      ネイルプリント装置
４０    描画機構
５０    撮影機構
４１    描画ヘッド
８１１  撮影制御部
８１２  爪情報検出部
８１４  描画制御部
８２１  噴射制御データ記憶領域
８２２  調整領域設定テーブル
８２３  噴射割合調整パラメータ
Ｔ      爪
Ｕ１    指
【図１】
2019098099.tif 000003
【図２】
2019098099.tif 000004
【図３】
2019098099.tif 000005
【図４】
2019098099.tif 000006
【図５】
2019098099.tif 000007
【図６】
2019098099.tif 000008
【図７】
2019098099.tif 000009
【図８】
2019098099.tif 000010